(57)【要約】      （修正有）【課題】軽トラック等地面よりも高い位置に積載された苗箱を地面と同等の高さの位置の苗床に並べる作業を、膝や腰を曲げずに、かつ手で持つよりも楽に作業が出来る苗箱並べ具を提供する。  【解決手段】長尺の棒体２本とそれを乗せ掛ける棒体保持具とで構成する。棒体には係止フック２が設けてあり、苗箱を係止めする。さらに棒体には乗り掛かりプレート４−１，４−２が２カ所に設けてあり、棒体保持具に乗せ掛ける。最上部にハンドル７が設けてあり、棒体保持具からはずし、苗床に降ろすときに持つ。棒体保持具は肩掛けベルトによって肩から吊す構成となっている。【選択図】図１
0003191064.tif 000002
【実用新案登録請求の範囲】
【請求項１】
苗箱を係合するための棒体と棒体を乗せ掛けて移動するための棒体保持具を設けたことによって、苗箱を持ち上げるときと、苗床に降ろすときで、棒体の握る位置を変更出来るようにしたことを特徴とする苗箱並べ具。
【請求項２】
棒体保持具を設けたことによって、苗箱を腕だけではなく、肩や腰など上半身で支えることを可能にする構成としたことを特徴とする請求項１記載の苗箱並べ具。
【請求項３】
棒体に当たり金具を設け、棒体を持ち上げる際に、力が伝わりやすく、省力化できる構成としたことを特徴とする請求項１記載の苗箱並べ具。
【考案の詳細な説明】
【技術分野】
【０００１】
本考案は、軽トラック等に積載されている苗箱を苗床まで運搬し並べるという一連の作業において、従来よりも楽に運搬し、かつ苗床に並べる際には、作業者がしゃがんだり腰を屈めたりすることなく苗箱を並べ、またこれら一連の作業を一人ですることが出来るようにするための苗箱並べ具に関するものである。
【背景技術】
【０００２】
従来、軽トラック等に積載されている苗箱を苗床に並べるには、両手で苗箱を持ったまましゃがんで並べるという動作を繰り返し行う必要があったため、作業者の足腰に過度の肉体的負担がかかっていた。
【０００３】
この作業者の負担を軽減するために、実用新案登録第３０５９２３２号公報や実用新案登録第３０６２７４０号公報が提案されている。
【０００４】
実用新案登録第３０５９２３２号公報に示される苗箱並べ機は苗箱収納ボックスに収納された複数枚の苗箱を一枚づつ床付けしていく苗箱並べ機で、実用新案登録第３０６２７４０号公報に示される苗箱運搬用具は取手部を設けた運搬用具である。
【先行技術文献】
【非特許文献】
【０００５】
【非特許文献１】実用新案登録第３０５９２３２号公報
【非特許文献２】実用新案登録第３０６２７４０号公報
【考案の概要】
【考案が解決しようとする課題】
【０００６】
本考案は、苗箱を苗床に並べる際に、作業者が楽に効率よく作業を行うことの出来る苗箱並べ具を提案することを目的とする。
【０００７】
従来、軽トラック等地面よりも高い位置に積載された苗箱を地面と同等の高さの苗床に並べる際には、作業者は両手で苗箱を持ち、そのまま苗床の並べる場所まで行き、そこでしゃがんで苗箱を並べるという作業を繰り返し行うことを要した。
【０００８】
この作業者の負担を軽減するために、実用新案登録第３０５９２３２号公報に示すような苗箱並べ具が提案されている。
【０００９】
しかし実用新案登録第３０５９２３２号公報に示される苗箱並べ具は、道具を持つグリップの位置が腰よりやや下の手の位置に設定されているために降ろすには楽だが、持ち上げる際に軽トラック等、高い位置に積載されている苗箱を持つことが出来ない。そのため苗箱を軽トラック等から一旦、地面等に降ろす作業が必要とされるという課題があった。
【００１０】
また実用新案登録第３０６２７４０号公報に示される苗箱運搬具は、苗箱を持つときは良いが、置くときは、しゃがんだり腰を曲げたりしなければならない。
【００１１】
さらにこれらの道具に共通しているのは、腕の力だけで苗箱を持っているため、負担が腕だけにかかってくるということである。
本考案は、これらの問題点を解決するためになされたものである。
【課題を解決するための手段】
【００１２】
上記目的を達成するため、本考案は長尺の棒体（図１）２本とそれを乗せ掛けて保持するための肩掛保持具とで構成することを特徴とする。
【００１３】
棒体の最下部に苗箱を係合させるための係止フック２を設け、さらに乗掛かりプレート４を２箇所に設けている。棒体に係合された苗箱を運搬するときは、まず棒体の下部を握り苗箱を持ち上げ、肩掛保持具に下部のプレートを引っかけて運搬し、苗床に降ろすときには、一旦上部のプレートに引っかける場所を替えてからハンドル部を握り、静かに降ろす。このように苗箱を持ち上げるときと、降ろすときとで棒体の握る位置を替えることが出来るように構成されていることを特徴とする。。
【００１４】
乗掛かりプレートは棒体に対して直角の面とそこから棒体に対して平行に下方向に延びている面（ストッパー部５）とで構成されている。棒体に対して直角の面を肩掛保持具のホルダー部８の上に乗せ、同時にストッパー部５が下方向に入り込むことによってはずれないようになる（図５）。以上のように構成されていることを特徴とする。
【００１５】
棒体の上記の金具の取り付け面の裏側の面に持上当たり金具６を数カ所設ける。
最上部にハンドル部７を設ける。
【００１６】
肩掛保持具は苗箱を係合させた棒体を乗せ掛けて保持するための本体である棒体受け具（図２）と、本体を肩から吊すための２本の肩掛けバンドから成っている。（図３）
さらに棒体受け具は、棒体を乗せ掛けて保持するホルダー部と体と接して本体を安定させる役目の振れ止め部から成る（図２）。
ホルダー部は左右にあり、左右のホルダー部は１本の連結ロッドで連結されている。
さらに振れ止め部とも左右２本の連結ロッドで連結されている。
振れ止め部は、上下２本のロッドが縦に連結されており、この上下２本のロッドが作業者の腹の辺りと接するようにセットする。
【００１７】
２本の肩掛けバンドはそれぞれ左右のホルダー部に一方を固定し、それを肩にまわし、背中で交差させ、残りの一方を振れ止め部に固定させる。
【考案の効果】
【００１８】
以上のように本考案は、複数枚の苗箱を、持ち上げるときも苗床に並べるときも、腰や膝を曲げずに作業をすることが可能であり、さらに肩にかかったベルトで吊っているので、腕で持つよりも格段に楽に運搬することが出来る。
【図面の簡単な説明】
【００１９】
【図１】棒体を示す斜視図である
【図２】棒体受け具を示す斜視図である
【図３】肩掛保持具を両肩にかけた状態を示す斜視図である
【図４】棒体を苗箱に装着した状態を示す斜視図である
【図５】棒体を肩掛保持具に乗せ掛けた状態の斜視図である
【図６】棒体を持ち上げる際の握り部の拡大図
【考案を実施するための形態】
【００２０】
以下本考案の実施の形態について、図面に基づいて説明する。
【００２１】
図１、図２、図３に示すように本考案は、長尺の棒体２本とそれを乗せ掛けて保持するための肩掛保持具（棒体受け具＋肩掛けバンド）で構成する。
【００２２】
図１に示すように棒体最下部にフック用プレートを設け、そこに係止フックを取り付ける。
【００２３】
棒体に乗掛かりプレート１を取り付け、さらに上部に乗掛かりプレート２を取り付ける。乗掛かりプレートは棒体に対し垂直に取り付けられており、肩掛保持具のホルダー部に図５に示すように乗り掛かる。そのため長さはホルダー部の乗り掛かる部分の長さよりも若干長くなっている。乗掛かりプレートから棒体に対して平行に下方向にストッパー部５が延びている。これは図５に示すように肩掛保持具のホルダー部に入り込み、棒体の乗掛かりプレートがホルダーからはずれない役目をする。
【００２４】
乗掛かりプレートの取り付けられた面の裏側の面に持上当たり金具６が取り付けられている。図６に示すように棒体を持ち上げようとするときに、手の上部に当たり、持ち上げるときに腕の力が伝わりやすい構造になっている。
【００２５】
最上部にハンドル部を設け、乗掛かりプレート２がホルダーに乗っ掛かっている状態から苗箱を床付けするときと、数段降ろした苗箱の最上段の苗箱から１段づつならべるときにハンドル部を握って持ち上げたり下げたり出来る構造になっている。
【００２６】
図２に示すように棒体受け具は棒体を乗せ掛ける左右のホルダー部８と体に接触させ棒体受け具の振れを止めて安定させる振れ止め部９、それらをつなぐ連結ロッド１０からなる。
【実施例】
【００２７】
本考案を実施するときは、図３に示すように、棒体受け具を２本の肩吊りバンドで吊り、両手にそれぞれ棒体を持ち、図４に示すように軽トラック等に積載された苗箱の上から数段目のフランジ部に係止フックを掛ける。
【００２８】
図６に示すように持上当たり金具６−１又は６−２の下部を掌握し、苗箱と棒体を持ち上げ、乗り掛かりプレート１を肩掛保持具のホルダー部に乗せ掛ける。その状態のまま苗箱を並べる場所まで運搬し、そこで掌握の位置を持ち上げ用当たり金具６−３に移動させ、棒体を一旦持ち上げ、次に乗り掛かりプレート２を肩掛保持具のホルダー部に乗せ掛ける。
【００２９】
次に掌握の場所をハンドル部に変更し、苗箱を係合した棒体を一旦持ち上げストッパー金具がはずれたら静かに下に降ろし、苗箱を苗床に降ろす。
【００３０】
次に棒体の係止フックを苗箱のフランジ部からはずし、最上段の苗箱のフランジ部に係合させる。ハンドル部を操作し１枚ずつ苗箱を苗床に降ろす。
【産業上の利用可能性】
【００３１】
積載された苗箱を苗床に並べる作業が、膝や腰を曲げずにすることが可能になるので、作業者の肉体的負担が大幅に軽減され、また作業は一人で出来るので、人件費の削減につながる。一度に運搬する苗箱の数は、作業者の筋力、体力に応じて調整できるので、無理なく作業が出来る。棒体の長さを作業者の身長に合わせて調整すれば、苗箱を床付けする作業も無理なく出来る。
【符号の説明】
【００３２】
１  フック用プレート
２  係止フック
３  握り部
４−１  乗掛りプレート１
４−２  乗掛りプレート２
５  ストッパー部
６−１  持上当たり金具１
６−２  持上当たり金具２
６−３  持上当たり金具３
７  ハンドル部
８  ホルダー部
９  振れ止め部
１０−１  連結ロッド１
１０−２  連結ロッド２
１１  肩掛けバンド
【図１】
0003191064.tif 000003
【図２】
0003191064.tif 000004
【図３】
0003191064.tif 000005
【図４】
0003191064.tif 000006
【図５】
0003191064.tif 000007
【図６】
0003191064.tif 000008